(57)【要約】【課題】防蟻性能を有すると共に建物の断熱性能を低下させることなく施工性を向上させた土台水切部材の取り付け構造及び土台水切部材を得ることを目的とする。【解決手段】建物１０の基礎外周部２５と外壁パネル６２の外壁面材３４との間に形成される空間１２３を覆うように取り付けられた土台水切本体部１３２と、土台水切本体部１３２の上部に土台水切本体部１３２と一体的に設けられると共に建物上側へ付勢されることで外壁面材３４の下端部１２２に当接された土台水切上端部１２６と、土台水切本体部１３２の上部に土台水切本体部１３２と一体的に設けられると共に外壁パネル６２へ取り付けられた土台水切側面部１２８と、土台水切本体部１３２の下部に土台水切本体部１３２と一体的に設けられると共に建物下側へ付勢されることで基礎外周部２５の上端面５０に当接された天端押さえ部１３０と、を有する土台水切部材１２４の取り付け構造。【選択図】図４
2015218505.tif 000002
【特許請求の範囲】
【請求項１】
建物の基礎外周部と外壁パネルの建物外側面を構成する外壁面材との間に形成される空間を覆うように取り付けられた土台水切本体部と、
前記土台水切本体部の上部に前記土台水切本体部と一体的に設けられると共に前記外壁パネルへ取り付けられた土台水切側面部と、
前記土台水切側面部の上部に土台水切側面部と一体的に設けられると共に建物上下方向上側へ付勢されることで前記外壁面材の下端部に当接された土台水切上端部と、
前記土台水切本体部の下部に一方の端部を介して前記土台水切本体部と一体的に設けられると共に建物上下方向下側へ付勢されることで前記基礎外周部の上端面に当接された天端押さえ部と、
を有する土台水切部材の取り付け構造。
【請求項２】
前記基礎外周部は、建物上下方向で上方に延出された基礎立ち上がり部の建物外側面に設けられた基礎立ち上がり部断熱材を備えている、
請求項１記載の土台水切部材の取り付け構造。
【請求項３】
前記基礎立ち上がり部断熱材の建物外側には仕上げ材が設けられており、
前記土台水切側面部は前記外壁パネルと当接する当接面を有すると共に、前記土台水切本体部は前記天端押さえ部の前記一方の端部から建物上下方向に沿って延出されかつ前記仕上げ材と当接する垂直部を有しており、
前記当接面から前記仕上げ材の建物外側面までの水平方向での寸法が前記当接面から前記垂直部までの水平方向での寸法よりも大きく設定された、
請求項２記載の土台水切部材の取り付け構造。
【請求項４】
前記基礎外周部の前記上端面には、一部が前記天端押さえ部に載置されると共に前記天端押さえ部を建物上下方向で下方側へと付勢する基礎天端気密材が設けられた、
請求項１〜請求項３のいずれか１項に記載の土台水切部材の取り付け構造。
【請求項５】
前記基礎天端気密材は断熱材により構成され、前記断熱材は前記基礎外周部の前記上端面と前記基礎外周部の上方に設けられる床大梁との間の隙間を埋めるように配設された、
請求項４記載の土台水切部材の取り付け構造。
【請求項６】
前記天端押さえ部は、前記一方の端部と反対側の他方の端部が前記基礎外周部の前記上端面と当接しかつ前記一方の端部が前記他方の端部よりも建物上下方向上側に位置するように傾斜された、
請求項１〜請求項５のいずれか１項に記載の土台水切部材の取り付け構造。
【請求項７】
一方の側面が開口した箱型形状に形成された土台水切本体部と、
前記土台水切本体部の前記開口の上部に前記土台水切本体部と一体的に設けられると共に垂直に沿って延出された土台水切側面部と、
前記土台水切側面部の上部に前記土台水切側面部と一体的に設けられると共に水平に沿って延出された土台水切上端部と、
前記土台水切本体部の前記開口の下部に前記土台水切本体部と一体的に設けられると共に前記開口側に設けられる一方の端部と反対側の他方の端部が前記土台水切本体部と離れる方向に延出しかつ前記一方の端部が前記他方の端部よりも建物上下方向上側に位置するように傾斜された天端押さえ部と、
を備えた土台水切部材。
【発明の詳細な説明】
【技術分野】
【０００１】
本発明は、土台水切部材の取り付け構造及び土台水切部材に関する。
【背景技術】
【０００２】
下記特許文献１には、建物の外壁面材及び外壁フレームで構成された外壁パネルと基礎との間に設けられた土台水切部材が開示されている。具体的には、この土台水切部材は、建物の基礎上に設置された土台とこの土台の建物外側に取り付けられた外壁パネル内に設けられた固定板と、この固定板の下端から建物外側へと延出された水切板と、固定板の下端から土台まで建物内側へと延出されると共に土台との当接部から建物上下方向下側へと延出された防蟻用固定板と、で構成されている。この防蟻用固定板は、基礎と基礎の建物外側に設けられる基礎立ち上がり部断熱材との間に挟められるように取り付けられているため、基礎立ち上がり部断熱材の建物外側面上を通過して建物内部へと移動する蟻の進路を阻むことができる。つまり、蟻の建物内部への侵入を土台水切部材によって防止することができる。                                                
【先行技術文献】
【特許文献】
【０００３】
【特許文献１】特開２０００−２０４６８５号公報
【発明の概要】
【発明が解決しようとする課題】
【０００４】
上記先行技術による場合、土台水切部材を建物へと取り付ける際は、あらかじめ防蟻用固定板を基礎と基礎立ち上がり部断熱材との間に取り付けておく必要がある。このため、外壁パネルを建物へ取り付ける際、基礎にあらかじめ取り付けられることで基礎から突出している土台水切部材の固定板を外壁パネル内に挿入しなければならず、施工性が低下する。また、土台が鉄骨で構成された建物の場合、この土台と当接する土台水切部材を介して熱橋（ヒートブリッジ）が起こり、土台と外壁との間で熱が伝導することで建物の断熱性能が低下する可能性がある。さらに、基礎立ち上がり部断熱材の上端面は開放されているため、この上端面から蟻が基礎立ち上がり部断熱材の内部へと侵入して断熱材に穴を開けることで建物の断熱性能が低下する可能性がある。
【０００５】
本発明は上記問題を考慮し、防蟻性能を有すると共に建物の断熱性能を低下させることなく施工性を向上させた土台水切部材の取り付け構造及び土台水切部材を得ることを目的とする。
【課題を解決するための手段】
【０００６】
請求項１記載の発明に係る土台水切部材の取り付け構造は、建物の基礎外周部と外壁パネルの建物外側面を構成する外壁面材との間に形成される空間を覆うように取り付けられた土台水切本体部と、前記土台水切本体部の上部に前記土台水切本体部と一体的に設けられると共に前記外壁パネルへ取り付けられた土台水切側面部と、前記土台水切側面部の上部に土台水切側面部と一体的に設けられると共に建物上下方向上側へ付勢されることで前記外壁面材の下端部に当接された土台水切上端部と、前記土台水切本体部の下部に一方の端部を介して前記土台水切本体部と一体的に設けられると共に建物上下方向下側へ付勢されることで前記基礎外周部の上端面に当接された天端押さえ部と、を有している。
【０００７】
請求項２記載の発明に係る土台水切部材の取り付け構造は、請求項１に記載の土台水切部材の取り付け構造において、前記基礎外周部は、建物上下方向で上方に延出された基礎立ち上がり部の建物外側面に設けられた基礎立ち上がり部断熱材を備えている。
【０００８】
請求項３記載の発明に係る土台水切部材の取り付け構造は、請求項２に記載の土台水切部材の取り付け構造において、前記基礎立ち上がり部断熱材の建物外側には仕上げ材が設けられており、前記土台水切側面部は前記外壁パネルと当接する当接面を有すると共に、前記土台水切本体部は前記天端押さえ部の前記一方の端部から建物上下方向に沿って延出されかつ前記仕上げ材と当接する垂直部を有しており、前記当接面から前記仕上げ材の建物外側面までの水平方向での寸法が前記当接面から前記垂直部までの水平方向での寸法よりも大きく設定されている。
【０００９】
請求項４記載の発明に係る土台水切部材の取り付け構造は、請求項１〜請求項３のいずれか１項に記載の土台水切部材の取り付け構造において、前記基礎外周部の前記上端面には、一部が前記天端押さえ部に載置されると共に前記天端押さえ部を建物上下方向で下方側へと付勢する基礎天端気密材が設けられている。
【００１０】
請求項５記載の発明に係る土台水切部材の取り付け構造は、請求項４記載の土台水切部材の取り付け構造において、前記基礎天端気密材は断熱材により構成され、前記断熱材は前記基礎外周部の前記上端面と前記基礎外周部の上方に設けられる床大梁との間の隙間を埋めるように配設されている。
【００１１】
請求項６記載の発明に係る土台水切部材の取り付け構造は、請求項１〜請求項５のいずれか１項に記載の土台水切部材の取り付け構造において、前記天端押さえ部は、前記一方の端部と反対側の他方の端部が前記基礎外周部の前記上端面と当接しかつ前記一方の端部が前記他方の端部よりも建物上下方向上側に位置するように傾斜されている。
【００１２】
請求項７記載の発明に係る土台水切部材は、一方の側面が開口した箱型形状に形成された土台水切本体部と、前記土台水切本体部の前記開口の上部に前記土台水切本体部と一体的に設けられると共に垂直に沿って延出された土台水切側面部と、前記土台水切側面部の上部に前記土台水切側面部と一体的に設けられると共に水平に沿って延出された土台水切上端部と、前記土台水切本体部の前記開口の下部に前記土台水切本体部と一体的に設けられると共に前記開口側に設けられる一方の端部と反対側の他方の端部が前記土台水切本体部と離れる方向に延出しかつ前記一方の端部が前記他方の端部よりも建物上下方向上側に位置するように傾斜された天端押さえ部と、を備えている。
【００１３】
請求項１記載の本発明によれば、この土台水切部材は天端押さえ部が建物上下方向下側へと付勢された構成とされていると共に土台水切上端部が建物上下方向上側へ付勢されている。すなわち、土台水切部材は外壁面材と基礎外周部との間に形成される空間に取り付けられた状態では天端押さえ部が付勢力によって基礎外周部の上端面に当接する。同時に、土台水切上端部が付勢力によって外壁面材の下端部と当接する。これにより、土台水切部材は外壁面材及び基礎外周部への取付け作業を行うことなく基礎外周部の上端面及び外壁面材の下端部に支持されて外壁パネルと基礎外周部との間に形成される空間に保持される。
【００１４】
また、前述のとおり土台水切部材の土台水切上端部は外壁面材の下端部に当接すると共に天端押さえ部は基礎外周部の上端面に当接していることで、土台水切部材と外壁面材との間及び土台水切部材と基礎外周部との間には隙間がそれぞれ形成されない構成とされる。このため、外壁面材と土台水切部材との間及び基礎外周部と土台水切部材との間からの蟻の侵入を抑制することができる。
【００１５】
請求項２記載の本発明によれば、基礎立ち上がり部の建物外側面に基礎立ち上がり部断熱材が取り付けられることで、建物外部から基礎外周部への熱の伝導が抑制される。したがって、基礎外周部を含めた建物の断熱性能を向上させることができる。
【００１６】
請求項３記載の本発明によれば、土台水切側面部の当接面を外壁パネルと当接させると、垂直部が基礎外周部の基礎立ち上がり部断熱材の仕上げ材と強干渉するため、基礎立ち上がり部断熱材が板厚方向で圧縮される。この強干渉及び基礎立ち上がり部断熱材の圧縮の反力により垂直部と仕上げ材とが密着される。このため、基礎外周部と土台水切部材との間からの蟻の侵入を抑制することができる。また、基礎外周部の基礎立ち上がり部断熱材が天端押さえ部と垂直部とで建物外部へ開放されない構成とされる。したがって、一般的に比較的柔軟な素材で構成される基礎立ち上がり部断熱材へ建物外部から蟻が侵入し、基礎立ち上がり部断熱材が蟻により侵食されるのを抑制することができる。
【００１７】
請求項４記載の本発明によれば、天端押さえ部が基礎天端気密材により基礎外周部の上端面へ押さえつけられる。したがって、天端押さえ部と基礎外周部の上端面とが離間するのを抑制することができる。
【００１８】
請求項５記載の本発明によれば、断熱材で構成された基礎天端気密材により天端押さえ部と基礎外周部の上端面とが離間するのを抑制することができる。また、基礎外周部と床大梁との間に形成される隙間が断熱材で構成された基礎天端気密材で埋められることで、この隙間を通じた建物内外での熱の伝導が抑制される。
【００１９】
請求項６記載の本発明によれば、天端押さえ部の一方の端部のみが基礎外周部の上端面と当接する構成のため、天端押さえ部と基礎外周部の上端面との間の摩擦力が低減される。すなわち、土台水切部材を基礎外周部と外壁面材との間に形成される空間にセットする場合は、建物外側から建物内側へ向かって土台水切部材をこの空間に押し込むことで取り付けられるが、天端押さえ部と基礎外周部の上端面との間の摩擦力が上述の構成によって低減されることで押し込む際の抵抗力が減少する。したがって、土台水切部材が押し込み易くなり、取り付けが容易となる。
【００２０】
請求項７記載の本発明によれば、土台水切部材は土台水切上端部、土台水切側面部及び天端押さえ部が本体部を含めて一体的に形成されている。したがって、土台水切部材の建物への取り付け作業が容易となる。
【発明の効果】
【００２１】
請求項１記載の土台水切部材の取り付け構造は、防蟻性能を有すると共に建物の断熱性能を低下させることなく施工性を向上させることができるという優れた効果を有する。
【００２２】
請求項２記載の土台水切部材の取り付け構造は、建物の断熱性能をより向上させることができるという優れた効果を有する。
【００２３】
請求項３記載の土台水切部材の取り付け構造は、より防蟻性能を向上させることができるという優れた効果を有する。
【００２４】
請求項４記載の土台水切部材の取り付け構造は、より一層防蟻性能を向上させることができるという優れた効果を有する。
【００２５】
請求項５記載の土台水切部材の取り付け構造は、建物の断熱性能を向上させることができるという優れた効果を有する。
【００２６】
請求項６記載の土台水切部材の取り付け構造は、現場作業における施工性を向上させることができるという優れた効果を有する。
【００２７】
請求項７記載の土台水切部材の土台水切部材は、防蟻性能を有すると共に建物の断熱性能を低下させることなく施工性を向上させることができるという優れた効果を有する。
【図面の簡単な説明】
【００２８】
【図１】一実施形態に係る土台水切部材の取り付け構造を有する建物の一部を示す拡大断面図である。
【図２】一実施形態に係る土台水切部材の取り付け構造を有する建物の外壁パネルを建物上下方向で切断した状態を示す拡大断面図である。
【図３】一実施形態に係る土台水切部材の取り付け構造を有する建物の外壁パネルを水平方向で切断した状態を示す拡大断面図である。
【図４】一実施形態に係る土台水切部材を示す拡大断面図である。
【図５】（Ａ）は一実施形態に係る土台水切部材の空間への取り付け前の状態を示す拡大断面図であり、（Ｂ）は（Ａ）に対し空間への取り付け後の状態を示す拡大断面図である。
【図６】対比例に係る土台水切部材の取り付け構造を有する建物の一部を示す拡大断面図である。
【発明を実施するための形態】
【００２９】
以下、図１〜図５を用いて、本発明に係る土台水切部材の取り付け構造及び土台水切部材の一実施形態について説明する。
【００３０】
図１に示されるように、建物１０は、地盤１８に設けられた基礎１２と、基礎１２の上方に設けられた躯体フレーム１４と、躯体フレーム１４に取り付けられた外壁パネル６２と、を含んで構成されている。この基礎１２は、地盤表面１６に対して地盤１８を所定深さ掘削したところに砕石２０が敷き詰められ、この砕石２０上に平面視で矩形状のフーチング２２が打設されている。フーチング２２の幅方向中間部には、フーチング２２の長手方向に沿って建物上下方向で上方に延出された基礎立ち上がり部２４が立設されている。このフーチング２２及び基礎立ち上がり部２４を建物外周に沿って帯状に連続配置することにより、建物１０の下部構造即ち基礎１２が形成されるようになっている。そして、基礎１２より建物内側の地盤１８の地盤表面１６は、防湿コンクリート４２で覆われている。
【００３１】
基礎立ち上がり部２４の建物上下方向に沿った建物外側面２６には基礎立ち上がり部断熱材としての第一基礎立ち上がり部断熱材２８が取り付けられている。同様に、建物内側側面３０には第二基礎立ち上がり部断熱材３２が取り付けられている。この第一基礎立ち上がり部断熱材２８及び第二基礎立ち上がり部断熱材３２は、それぞれ一例として硬質ウレタンフォームで構成されている。また、第一基礎立ち上がり部断熱材２８は基礎立ち上がり部２４の建物外側面２６の全面に取り付けられ、第二基礎立ち上がり部断熱材３２は建物内側側面３０の全面に取り付けられている。なお、建物外側面２６に取り付けられる第一基礎立ち上がり部断熱材２８は後述する外壁面材３４の意匠面３６と略同一面上に断熱材外側面３８が位置するように板厚が設定される。また、建物内側側面３０に取り付けられる第二基礎立ち上がり部断熱材３２は必要とされる断熱性能が確保できる程度の板厚に設定されている。さらに、第一基礎立ち上がり部断熱材２８の断熱材外側面３８には、仕上げ材としてのモルタル４０が塗布されている。このモルタル４０と第一基礎立ち上がり部断熱材２８と第二基礎立ち上がり部断熱材３２と基礎立ち上がり部２４とで基礎外周部２５が構成されている。
【００３２】
躯体フレーム１４は、躯体フレーム１４の四隅に立設された柱４４（図３参照）と、柱４４の上端部に取り付けられる天井フレーム４６（図２参照）と、柱４４の下端部に取り付けられる床フレーム４８とで箱状に形成されている。また、躯体フレーム１４の柱４４の下端部は基礎外周部２５の上端面５０と結合されており、躯体フレーム１４の荷重が柱４４から基礎外周部２５を介して地盤１８へと伝達される。
【００３３】
床フレーム４８は、平面視で略矩形状に形成されており、床フレーム４８の四隅に設けられた図示しない仕口と、この仕口同士を連結する長短二種類の床大梁５２と、によって外枠が形成されている。また、床大梁５２の上面５４に床下材５６が設けられている。そして、床下材５６の建物上方には、床板５８が設けられている。
【００３４】
床大梁５２と基礎外周部２５の上端面５０とは離間していると共に、床大梁５２と基礎外周部２５の上端面５０との間には基礎天端気密材６０が設けられている。この基礎天端気密材６０は一例としてグラスウールで構成されており、床大梁５２と基礎外周部２５の上端面５０との間を埋めるように設けられている。
【００３５】
図２に示されるように、床大梁５２の建物外側には、外壁パネル６２が設けられている。外壁パネル６２は、外壁フレーム６４と外壁面材３４とにより構成されている。外壁フレーム６４は、間柱６５と、支持金物６６と、Ｌ型アングル材６８と、横桟７０と、により構成されている。間柱６５は、角柱状に形成されており、かつ、間柱６５は建物上下方向を長手方向として複数配置されている。また、複数の間柱６５同士は、天井フレーム４６の外枠を構成する天井大梁７２及び床大梁５２の長手方向に沿って間隔を空けて設けられている。さらに、間柱６５は、金属より熱伝導率の低い材質で構成されており、本実施形態では木材により構成されている。
【００３６】
支持金物６６は、建物上下方向上側に位置する取付部７４と、取付部７４の下方に設けられる延出部７６によって構成されている。この取付部７４は、略箱状かつこの略箱形状における建物上下方向上側に位置する上面及び建物１０側に設けられて天井フレーム４６と当接する側面７５と対向する位置の側面が取り除かれた形状に形成されている。
【００３７】
延出部７６は、取付部７４の建物上下方向下側に位置する下面８０から建物上下方向に沿って下側に延出されている。この延出部７６は、建物上下方向に直交する面で切断した断面が略Ｕ字状に形成されており、断面略Ｕ字状の開口が建物内側に向けられるように設けられている。
【００３８】
延出部７６の建物上下方向下側には、延出部７６の対向する側面が建物上下方向下側に延出した間柱挟持部８２が設けられている。間柱挟持部８２には、板厚方向に貫通された図示しない締結用穴が建物上下方向に沿って複数並んで設けられている。そして、間柱挟持部８２に間柱６５の上端部８４が挿入されている。この状態で、複数のビス８６を締結用穴内に挿入し締結することによって支持金物６６は間柱６５の上端部８４に固定される。なお、支持金物６６は、上端部８４と同様に間柱６５の下端部８８にも取り付けられた構成とされており、下端部８８に取り付けられた支持金物６６は、上端部８４における支持金物６６と建物上下方向に直交する面で面対称となるように取り付けられている。
【００３９】
支持金物６６の取付部７４の側面７５には、板厚方向に貫通された図示しないボルト締結穴が設けられている。このボルト締結穴は、躯体フレーム１４の天井大梁７２及び床大梁５２の建物外側面８９にあらかじめ設けられている板厚方向に貫通された図示しない支持金物固定穴と同一軸上の位置に設けられている。これにより、支持金物６６のボルト締結穴と躯体フレーム１４の支持金物固定穴とにボルト９２を挿通させてナット９４で締結することで、支持金物６６は天井大梁７２及び床大梁５２に取り付けられる。
【００４０】
間柱６５の上端部８４の端部面９６には、連結延設部材としてのＬ型アングル材６８が取り付けられている。このＬ型アングル材６８は、建物上下方向に沿って立設されたアングル材側面９１とアングル材側面９１の下縁９８からアングル材側面９１に対し直交する方向に延出されたアングル材底面１００とで断面がＬ字型に形成されている。また、Ｌ型アングル材６８は間柱６５の長手方向と直交する方向に延設されている。
【００４１】
Ｌ型アングル材６８は、Ｌ型アングル材６８の断面内側が建物内側方向へと向けられると共に、アングル材底面１００の建物上下方向で下側の断面外側面１０１と間柱６５の端部面９６とが当接されている。そして、アングル材底面１００の板厚方向に貫通された図示しないビス締結穴にビス８６を挿通させて締め付けることで、間柱６５へ取り付けられている。
【００４２】
また、Ｌ型アングル材６８は、天井大梁７２及び床大梁５２の長手方向に沿って間隔を空けるように複数設けられている他の間柱６５にも前述と同様の構成で取り付けられている。さらに、間柱６５の下端部８８には、上端部８４と同様の構成でＬ型アングル材６８が取り付けられている。したがって、複数の間柱６５の上端部８４同士及び下端部８８同士はそれぞれＬ型アングル材６８を介して連結されている。
【００４３】
間柱６５の上端部８４に取り付けられたＬ型アングル材６８は、アングル材側面９１の建物内側面が躯体フレーム１４の天井大梁７２の建物外側面８９と接する。これと共に、アングル材底面１００の建物上下方向で上側の断面内側面１０３が天井板１０２と間隙を有して設けられている。また、間柱６５の下端部８８に取り付けられたＬ型アングル材６８は、アングル材側面９１の建物内側面が躯体フレーム１４の床大梁５２の建物外側面８９と接すると共に、アングル材底面１００の断面内側面１０３が床板５８と接する位置に設けられている。
【００４４】
支持金物６６の延出部７６と天井大梁７２の建物外側面８９及び床大梁５２の建物外側面８９との間には、間隙１０４が設けられている。この間隙１０４内には、間隙用断熱材１０６が設けられている。
【００４５】
間柱６５の建物外側面１０５には、一例として木材で構成された横桟７０が複数設けられている。この横桟７０は角柱状に形成されていると共に、建物上下方向と直交する方向を長手方向として取り付けられていると共に、隣接する横桟７０同士が建物上下方向で間隔を空けるように間柱６５へ取り付けられている。
【００４６】
図３に示されるように、複数の間柱６５同士の間には、空間１０８が形成されると共に、空間１０８内に内側断熱材１１０が設けられる。この内側断熱材１１０は、一例として繊維系断熱材で構成されており、空間１０８を埋めるように設けられている。
【００４７】
外壁フレーム６４の建物外側には、通気胴縁１１２が複数設けられている。この通気胴縁１１２は、角柱状に形成されていると共に、間柱６５と対向する位置に建物上下方向を長手方向として横桟７０へ取り付けられている。
【００４８】
外壁パネル６２の建物外側面を構成する外壁面材３４は、意匠面３６を建物外側に向けて通気胴縁１１２の建物外側面１１３に図示しないねじ等により取り付けられている。したがって、通気胴縁１１２と接合されている箇所以外では、外壁面材３４は横桟７０と間隙１１４を有している。つまり、外壁面材３４は、外壁面材３４の裏面に取り付けられた通気胴縁１１２によって支持されている。また、間柱６５の建物内側には、内壁下地１１８が取り付けられており、この内壁下地１１８の建物内側には室内側の壁である内壁面材１２０が取り付けられている。
【００４９】
図４に示されるように、外壁面材３４の下端部１２２と基礎外周部２５との間には、空間１２３が形成されており、この空間１２３には、土台水切部材１２４が取り付けられている。土台水切部材１２４は、一方の側面に開口としての開口部１５５を有する箱型形状に形成されたた土台水切本体部１３２と、この土台水切本体部１３２の上部に土台水切本体部１３２と一体的に設けられると共に水平に沿って延出された土台水切上端部１２６と、を有している。また、土台水切本体部１３２の開口部１５５の上部に土台水切本体部１３２と一体的に設けられると共に垂直に沿って延出された土台水切側面部１２８と、土台水切本体部１３２の開口部１５５の下部に土台水切本体部１３２と一体的に設けられると共に開口部１５５側に設けられる端部１５９と反対側の端部１６８が土台水切本体部１３２と離れる方向に延出しかつ端部１５９が端部１６８よりも建物上下方向上側に位置するように傾斜された天端押さえ部１３０と、を備えている。
【００５０】
土台水切上端部１２６の建物側の端部１３４には、土台水切上端部１２６と略直交する向きで土台水切側面部１２８が取り付けられている。さらに、土台水切側面部１２８の建物上下方向で下側の下端部１３７には、土台水切側面部１２８と略直交する向きで下方延伸部１３８が取り付けられている。土台水切上端部１２６の建物外側端部１４０には、建物上下方向に沿って下側へ延伸された立ち上がり部１４２が形成されている。同様に、下方延伸部１３８における土台水切上端部１２６の建物外側端部１４０と対向する位置には、建物上下方向に沿って上側へ延伸された立ち上がり部１４２が形成されている。これにより、断面が略Ｃ形状に形成されており、この断面略Ｃ形状の断面開口部１４４が建物外側へ向けられた向きに設けられている。
【００５１】
土台水切側面部１２８と外壁パネル６２の通気胴縁１１２とは、後述する防鼠網１４６を介してビス８６によって接合されている。具体的には、土台水切側面部１２８に設けられた板厚方向に貫通された図示しない締め付け孔にビス８６が断面開口部１４４から挿入されて通気胴縁１１２と締結されることで、土台水切部材１２４は通気胴縁１１２ひいては外壁パネル６２へ固定されている。この断面開口部１４４は、建物外側から取り付けられたキャップ１５０によって塞がれている。
【００５２】
下方延伸部１３８には、土台水切本体部１３２が一体的に接合されている。この土台水切本体部１３２は、断面が略Ｃ形状とされかつ断面開口部１５２が建物１０側に向けられるように設けられている。この土台水切本体部１３２の本体部下面１３３には、板厚方向に貫通された通気孔１５４が形成されている。
【００５３】
本体部下面１３３の建物側端部１５６には、建物上下方向に沿って形成された垂直部１５８と、この垂直部１５８の建物上下方向で上方に設けられる一方の端部としての端部１５９から垂直部１５８と略直交するように建物１０側へ延出された天端押さえ部１３０が接合されている。なお、土台水切側面部１２８の当接面１６４から垂直部１５８の基礎当接面１６６までの水平方向の寸法Ｂは、土台水切側面部１２８の当接面１６４からモルタル４０の建物外側面１６７までの水平方向での寸法Ａよりも小さく設定されている。したがって、土台水切側面部１２８の当接面１６４を通気胴縁１１２と接合させると、垂直部１５８の基礎当接面１６６がモルタル４０の建物外側面１６７と強干渉し、第一基礎立ち上がり部断熱材２８が板厚方向で圧縮される。この強干渉及び第一基礎立ち上がり部断熱材２８の圧縮の反力により基礎当接面１６６とモルタル４０の建物外側面１６７とが密着するように構成されている。
【００５４】
図５に示されるように、土台水切部材１２４の天端押さえ部１３０は、天端押さえ部１３０における他方の端部としての建物１０側の端部１６８が垂直部１５８の端部１５９よりも建物上下方向で下側に位置するように傾斜されている。この傾斜は、図５（Ａ）、（Ｂ）に示されるように、本実施形態では空間１２３に取り付けられる前の天端押さえ部１３０の端部１６８は空間１２３に取り付けられた状態での端部１６８の位置よりも建物上下方向で下側に下がった状態となるように形成されている。なお、本実施形態ではこの下がり量は一例として１ｍｍとされている。これにより、土台水切部材１２４を空間１２３に取り付けた場合は、天端押さえ部１３０の端部１６８が建物上側へ弾性変形すると共に弾性変形の反力によって天端押さえ部１３０の端部１６８と基礎外周部２５の上端面５０とが密着されている。さらに、天端押さえ部１３０は、その一部が基礎外周部２５の上端面５０と基礎天端気密材６０と間に挟みこまれるように取り付けられている（図４参照）。換言すると、基礎天端気密材６０の一部が天端押さえ部１３０に載置されている。このため、基礎天端気密材６０の反発力によって天端押さえ部１３０が建物上下方向下側へと押さえつけられてより一層天端押さえ部１３０の端部１６８と基礎外周部２５の上端面５０とが密着されている。
【００５５】
土台水切上端部１２６及び土台水切側面部１２８と天端押さえ部１３０とは、土台水切本体部１３２を介して一体的に形成されている。また、土台水切部材１２４は外壁面材３４の下端部１２２に沿って建物１０の外周に連続的に設けられている。なお、この土台水切部材１２４は、複数の土台水切部材１２４が長手方向で連結された構成とされている。具体的には、それぞれの土台水切部材１２４は土台水切本体部１３２の断面内側に取り付けられる土台水切本体部１３２の断面形状と略相似形に形成されたつなぎ材１７４を介して連結されている。
【００５６】
図４に示されるように、外壁パネル６２の外壁面材３４と通気胴縁１１２との間には、防鼠網１４６が取り付けられている。この防鼠網１４６は、建物上下方向で下側の端部１７６が天端押さえ部１３０と近接する位置まで延出されている。これにより、仮に本体部下面１３３の通気孔１５４から鼠が侵入した場合でも、鼠の建物１０内部への侵入を抑制することができる。
【００５７】
（作用・効果）
次に、本実施形態の作用並びに効果を説明する。
【００５８】
ここで、図６に示される対比例を用いながら、本実施形態の作用並びに効果を説明することにする。なお、対比例中、本実施形態と同一構成部分については同一番号を付してその説明を省略する。
【００５９】
図６に示されるように、建物２００は、基礎１２と、基礎１２の上方に気密パッキン２０２を介して設けられた土台２０４と、土台２０４の建物外側に設けられる外壁パネル２０６とを有している。基礎立ち上がり部２４の第一基礎立ち上がり部断熱材２８の建物外側面１６７には、モルタル４０が塗布されている。
【００６０】
外壁パネル２０６は、土台２０４の建物外側に取り付けられる防風用下地板２０８と、この防風用下地板２０８の建物外側に取り付けられる通気胴縁２１０と、この通気胴縁２１０の建物外側に設けられる外壁面材２１２とで構成されている。
【００６１】
外壁パネル２０６と基礎１２との間には、土台水切部材２１４が取り付けられている。この土台水切部材２１４は、建物上下方向で上側に延出された固定板２１６と、この固定板２１６の下端部２１８から建物外側に延出されて設けられた水切板２２０と、固定板２１６の下端部２１８から建物内側へ向かって延出されて設けられた防蟻用固定板２１７と、により構成されている。
【００６２】
固定板２１６は、通気胴縁２１０の下端部２２２と外壁面材２１２の下端部２２４との間に設けられており、釘やビス等で通気胴縁２１０の下端部２２２へ固定されている。
【００６３】
水切板２２０は、断面が略Ｌ字状に形成されており、基礎１２の第一基礎立ち上がり部断熱材２８と間隔を有しかつ第一基礎立ち上がり部断熱材２８及びモルタル４０を上方から覆うように配置されている。
【００６４】
防蟻用固定板２１７は、固定板２１６の下端部２１８から水平且つ建物内側へと延出された通気片２２６と、この通気片２２６における固定板２１６側と反対側の端部から建物上下方向で下側へ延出しかつ断面形状がＬ字状に形成された連結片２２８と、この連結片２２８の建物下側の端部から建物上下方向で下側へと延出された防蟻用固定片２３０とにより構成されている。通気片２２６には、板厚方向に貫通された貫通孔２３２が複数かつ互いに所定間隔を開けて形成されている。また、この貫通孔２３２を閉塞するように図示しない網状蓋が取り付けられている。
【００６５】
防蟻用固定片２３０は、基礎１２の基礎立ち上がり部２４と第一基礎立ち上がり部断熱材２８との間に取り付けられている。これにより、蟻等が地盤１８から第一基礎立ち上がり部断熱材２８やモルタル４０のひび割れの内部を通過して第一基礎立ち上がり部断熱材２８の上面まで到達した場合でも、土台２０４や通気胴縁２１０への侵入が防止される。
【００６６】
しかしながら、土台水切部材２１４は、あらかじめ防蟻用固定片２３０を基礎立ち上がり部２４と第一基礎立ち上がり部断熱材２８との間に挿入しておく必要がある。このため、外壁パネル２０６を建物２００へ取り付ける際、基礎１２にあらかじめ土台水切部材２１４があることで基礎１２から突出されている土台水切部材２１４の固定板２１６を外壁パネル２０６の内部に挿入するように施工しなければならず、施工性が低下する。また、土台２０４が鉄骨で構成された建物の場合、この土台２０４と当接する土台水切部材２１４を介して熱橋（ヒートブリッジ）が起こることで、土台２０４と外壁パネル２０６との間で熱が伝導して建物２００の断熱性能が低下する可能性がある。さらに、第一基礎立ち上がり部断熱材２８の上端面２３１は開放されているため、この上端面２３１から蟻が第一基礎立ち上がり部断熱材２８の内部へと侵入して第一基礎立ち上がり部断熱材２８に穴を開けることで建物２００の断熱性能が低下する可能性がある。
【００６７】
これに対し、図１に示されるように、本発明によれば、この土台水切部材１２４は天端押さえ部１３０が建物上下方向下側へと付勢された構成とされていると共に土台水切上端部１２６が建物上下方向上側へ付勢されている。すなわち、土台水切部材１２４は外壁面材３４と基礎外周部２５との間に形成される空間１２３に取り付けられた状態では天端押さえ部１３０が付勢力によって基礎外周部２５の上端面５０に当接する。同時に、土台水切上端部１２６が付勢力によって外壁面材３４の下端部１２２と当接する。これにより、土台水切部材１２４は外壁面材３４及び基礎外周部２５への取付け作業を行うことなく基礎外周部２５の上端面５０及び外壁面材３４の下端部１２２に支持されて外壁パネル６２と基礎外周部２５との間に形成される空間１２３に保持される。
【００６８】
また、前述のとおり土台水切部材１２４の土台水切上端部１２６は外壁面材３４の下端部１２２に当接すると共に天端押さえ部１３０は基礎外周部２５の上端面５０に当接していることで、土台水切部材１２４と外壁面材３４との間及び土台水切部材１２４と基礎外周部２５との間には隙間がそれぞれ形成されない構成とされる。このため、外壁面材３４と土台水切部材１２４との間及び基礎外周部２５と土台水切部材１２４との間からの蟻の侵入を抑制することができる。これにより、防蟻性能を有すると共に建物１０の断熱性能を低下させることなく施工性を向上させることができる。
【００６９】
さらに、土台水切部材１２４は床フレーム４８と当接しない構成とされていることから、土台水切部材１２４を介して床フレーム４８と外壁パネル６２との間での熱橋を抑制することができる。
【００７０】
さらにまた、基礎立ち上がり部２４の建物外側面２６には、第一基礎立ち上がり部断熱材２８が取り付けられることで、建物外部と基礎外周部２５との熱の伝導が抑制される。したがって、基礎外周部２５を含めた建物１０の断熱性能をより向上させることができる。
【００７１】
また、土台水切側面部１２８の当接面１６４を外壁パネル６２における通気胴縁１１２の建物外側面１１３と当接させると、垂直部１５８が基礎外周部２５の第一基礎立ち上がり部断熱材２８のモルタル４０と強干渉するため、第一基礎立ち上がり部断熱材２８が板厚方向で圧縮される。この強干渉及び第一基礎立ち上がり部断熱材２８の圧縮の反力により垂直部１５８とモルタル４０の建物外側面１６７とが密着される。このため、基礎外周部２５と土台水切部材１２４との間からの蟻の侵入を抑制することができる。また、基礎外周部２５の第一基礎立ち上がり部断熱材２８が天端押さえ部１３０と垂直部１５８とで建物外部へ開放されない構成とされる。したがって、比較的柔軟な素材で構成される第一基礎立ち上がり部断熱材２８へ建物外部から蟻が侵入し、第一基礎立ち上がり部断熱材２８が蟻により侵食されるのを抑制することができる。これらのことより、より防蟻性能を向上させることができる。
【００７２】
さらに、天端押さえ部１３０が基礎天端気密材６０により建物下方側、すなわち基礎外周部２５の上端面５０へ押さえつけられる。したがって、天端押さえ部１３０と基礎外周部２５の上端面５０とが離間するのを抑制することができる。これにより、より一層防蟻性能を向上させることができる。
【００７３】
さらにまた、断熱材で構成された基礎天端気密材６０により天端押さえ部１３０と基礎外周部２５の上端面５０とが離間するのを抑制することができる。同時に、基礎外周部２５と床大梁５２との間に形成される隙間が断熱材で構成された基礎天端気密材６０で埋められることで、この隙間を通じた建物内外での熱の伝導が抑制される。これにより、建物１０の断熱性能を向上させることができる。
【００７４】
また、天端押さえ部１３０の一方の端部１６８のみが基礎外周部２５の上端面５０と当接する構成のため、天端押さえ部１３０と基礎外周部２５の上端面５０との間の摩擦力が低減される。すなわち、土台水切部材１２４を基礎外周部２５と外壁面材３４との間に形成される空間１２３にセットする場合は、建物外側から建物内側へ向かって土台水切部材１２４を空間１２３に押し込むことで取り付けられる。この際、天端押さえ部１３０と基礎外周部２５の上端面５０との間の摩擦力が上述の構成によって低減されることで押し込む際の抵抗力が減少する。したがって、土台水切部材１２４が押し込み易くなり、取り付けが容易となる。これにより、現場作業における施工性を向上させることができる。
【００７５】
さらに、土台水切部材１２４は土台水切上端部１２６、土台水切側面部１２８及び天端押さえ部１３０が土台水切本体部１３２を含めて一体的に形成されている。したがって、土台水切部材１２４の建物１０への取り付け作業が容易となる。これにより、防蟻性能を有すると共に建物１０の断熱性能を低下させることなく施工性を向上させることができる。  
【００７６】
以上、本発明の実施形態について説明したが、本発明は、上記に限定されるものでなく、その主旨を逸脱しない範囲内において上記以外にも種々変形して実施することが可能であることは勿論である。
【符号の説明】
【００７７】
１０   建物
２４   基礎立ち上がり部
２５   基礎外周部
２６   建物外側面
２８   第一基礎立ち上がり部断熱材（基礎立ち上がり部断熱材）
３４   外壁面材
４０   モルタル（仕上げ材）
５０   上端面
５２   床大梁
６０   基礎天端気密材
６２   外壁パネル
１２２ 下端部
１２３ 空間
１２４ 土台水切部材
１２６ 土台水切上端部
１２８ 土台水切側面部
１３０ 天端押さえ部
１３２ 土台水切本体部
１５５ 開口部（開口）
１５８ 垂直部
１５９ 端部
１６４ 当接面
１６７ 建物外側面
１６８ 端部
【図１】
2015218505.tif 000003
【図２】
2015218505.tif 000004
【図３】
2015218505.tif 000005
【図４】
2015218505.tif 000006
【図５】
2015218505.tif 000007
【図６】
2015218505.tif 000008